(57)【要約】      （修正有）【課題】単一の配線箱の内周面に分離可能のスリットを周設すると共に該スリットに所望数のセパレータを挿入着脱自在に配置した配線箱の構造を提供する。【解決手段】配線箱７は、前面が開口に構成されると共に後面が底面部７ｅを形成し、左、右壁面部７ａ、７ｂと、上、下壁面部７ｃ、７ｄを備えている。上記左、右壁面部７ａ、７ｂ及び上、下壁面部７ｃ、７ｄの内面は、断面形状がＶ字状に形成した略Ｖ字状スリット７ｆ、７ｆ…を所望数個周設している。上記左、右壁面部７ａ、７ｂ及び上、下壁面部７ｃ、７ｄはボックス孔８…を横方向に一列に列設している。該ボックス孔８の略中央部分は略円盤状閉塞片８ａを備え、上記略円盤状閉塞片８ａの中央の水平方向又は垂直方向に単一の切欠き穴８ｂを形成している。該フラット型セパレータ１１は配線箱７の前面の固定脚１２に固定し覆設する。【選択図】図１
2006136137.tif 000002
【特許請求の範囲】
【請求項１】
内部が所定のボックス数に画成され、略矩形の箱状体に構成された配線箱に於いて、該配線箱の左、右、上及び下壁面部の内面に所定のボックス数の画成に応じて切断可能な断面形状が略Ｖ字状スリットを周設すると共に上記配線箱の左、右、上及び下壁面部に切離し可能な円盤状閉塞片を有したボックス孔を所望数個配設し、上記各ボックスの単位占積領域内の底面部のそれぞれの上、下にフラット型セパレータ又は略Ｌ型セパレータを固定するビス螺合孔を有する固定脚及びそれぞれの上、下に該配線箱を固定するビス挿入用孔を配設したことを特徴とする配線箱の構造。
【請求項２】
内部が所定のボックス数に画成され、略矩形の箱状体に構成された配線箱に於いて、該配線箱の左、右、上及び下壁面部の内面に所定のボックス数の画成に応じて切断可能な断面形状が略Ｖ字状スリットを周設すると共に上記配線箱の左、右、上及び下壁面部に切離し可能な円盤状閉塞片を有したボックス孔を所望数個配設し及び上記配線箱の左、右壁面部と底面部との隣接境界部分に支持材挿入用孔を穿設し、上記各ボックスの単位占積領域内の底面部のそれぞれの上、下に専用支持材を挿入可能とする略矩形状貫通窓を有したフラット型セパレータ又は略Ｌ型セパレータを固定するビス螺合孔を有する固定脚及びそれぞれの中央に専用支持材に固定されるビス挿入用孔を配設し、上記配線箱を固定支持すると共にその本体部を薄板状かつ長尺に形成し、この本体部の中央の長さ方向に位置調整孔を備えかつその他端部を本体部から立設してなる略矩形の板状体の取付固定部を形成した専用支持材を有したことを特徴とする配線箱の構造。
【請求項３】
内部が所定のボックス数に画成され、略矩形の箱状体に構成された配線箱に於いて、該配線箱の左、右、上及び下壁面部の内面に所定のボックス数の画成に応じて切断可能な断面形状が略Ｖ字状スリットを周設すると共に上記配線箱の左、右、上及び下壁面部に切離し可能な円盤状閉塞片を有したボックス孔を所望数個配設し及び上記配線箱の左、右壁面部と底面部との隣接境界部分に支持材挿入用孔を穿設し、上記各ボックスの単位占積領域内の底面部のそれぞれの上、下に専用支持材を挿入可能とする略矩形状貫通窓を有したフラット型セパレータ又は略Ｌ型セパレータを固定するビス螺合孔を有する固定脚及びそれぞれの中央に専用支持材に固定されるビス挿入用孔を配設し、上記配線箱を固定支持すると共にその本体部を薄板状かつ長尺に形成し、この本体部の中央の長さ方向に位置調整孔を備えかつその他端部を本体部から立設してなる略矩形の板状体の取付固定部を形成した専用支持材を有し、上記各ボックス孔に嵌合し、かつ配管挿入部及び配線箱の各壁面部に係止する複数の脚部を備えた配管固定部材を具備したことを特徴とする配線箱の構造。
【発明の詳細な説明】
【技術分野】
【０００１】
本発明は、各種建設構造物の裏壁面や梁等に配設されると共に天井回り等に引廻された電線、ケーブルを導入して、コンセントやスイッチ等の配線器具の裏面側に設置された配線箱の構造に関するものである。
【背景技術】
【０００２】
従来の配線箱の構造の例としては図１１（ａ）、（ｂ）及び図１２（ａ）、（ｂ）に示すとおりである。
図１１は、ワンボックスタイプの従来の配線箱の一つの例を示すもので、（ａ）は平面図、（ｂ）は（ａ）の矢視Ａ−Ａ線方向から見た側面図である。図１２はツーボックスタイプの従来の配線箱の他の例を示すもので、（ａ）は平面図、（ｂ）は（ａ）の矢視Ｂ−Ｂ線方向から見た側面図である。
１はワンボックスタイプの配線箱であって、略矩形の箱で構成されかつ内部が電線やケーブルを収納するために空間が形成されている。該ワンボックスタイプの配線箱１の内底面１ａは所望数のケーブル・電線用挿通孔１ｂ、１ｂを備えている。該ケーブル・電線用挿通孔１ｂ、１ｂは内周に沿って閉塞円盤部片１ｃ、１ｃを備え、この両端は接続部１ｄ、１ｄ、１ｅ、１ｅを介して上記内底面１ａに接続されている。そして、例えばマイナスドライバーの工具等によりその先端を上記閉塞円盤部片１ｃ、１ｃの略中央に穿孔された略矩形孔１ｆ、１ｆに差込んでねじ廻し動作させて、この閉塞円盤部片１ｃ、１ｃを内底面１ａから切落す。そして、空洞状になったケーブル・電線挿通孔１ｂ、１ｂから当該ケーブル又は電線等を挿入し、このワンボックスタイプの配線箱１に収容する。
図中、２はタッピンねじ（図示せず）挿通孔であって、当該ワンボックスタイプの配線箱１の上、下部に配置してあって、該タッピンねじを挿入して加締め動作することにより、該ワンボックスタイプの配線箱1を建設構造物の裏壁面等に固定する。尚、上記ケーブル電線用挿通孔１ｂ、１ｂは配線箱１の上・下壁又は左・右壁にも形成されている。
一方、他の例として図１２（ａ）、（ｂ）に示すツーボックスタイプの配線箱３であって、前述した図１１（ａ）、（ｂ）と略同様な形状、構成で成立する。本例は、前述した図１１（ａ）、（ｂ）との相違点としては、内底面３ａの略中央にセパレータ５を備え、このセパレータ５により当該配線箱３がツーボックスに構成されている。他の構成部材及びその動作は概ね前述した一つの例と略同一であり、その説明は省略する。
図中、３ｂ、３ｂ…は所望数のケーブル・電線用挿通孔、３ｃ、３ｃ…は閉塞円盤部片、３ｄ、３ｄ…及び３ｅ、３ｅ…は接続部、３ｆ、３ｆ…は略矩形状孔である。
【０００３】
このように従来の技術に於ける配線箱１、３はワンボックスタイプ又はツーボックスタイプ等予め特定した形状や構造を有した配線箱を多種、多量に使用しており、各種の建設構造物のケーブルや電線の引廻り量に適応することが出来ず、各種のタイプの配線箱を用意しなければならないものであった。
尚、叙上した従来の技術と略同一内容の技術については特開２００２−１１２４３１の公開特許公報に開示されている。
【特許文献１】特開２００２−１１２４３１公開特許公報
【発明の開示】
【発明が解決しようとする課題】
【０００４】
従来の技術は叙上した構造及び欠点を有したので、次の課題があった。
ビルやマンションの新設工事を請負う場合、当該マンション等に設置する電気設備、とりわけコンセントや各種スイッチの設置数等により電線やケーブルの引廻し量が変動し、そのため該電線やケーブルを収納する当該配線箱がワンボックスタイプのものやスリーボックスタイプのもの等各種適応したタイプを作製して用意する必要があり、配線箱の設計工数が増大すると共に工期の短縮化が図れないという問題点が存在した。
【課題を解決するための手段】
【０００５】
本発明は、各種建設構造物の工事現場で、各種のタイプの配線箱を容易かつ迅速に製作できるように単一の配線箱の内周面に分離可能のスリットを周設すると共に該スリットに所望数のセパレータを挿入着脱自在に配置した特有な構成を有する配線箱の構造を提供することを目的としたものであって、次の構成、手段から成立する。
【０００６】
すなわち、請求項１記載の発明によれば、内部が所定のボックス数に画成され、略矩形の箱状体に構成された配線箱に於いて、該配線箱の左、右、上及び下壁面部の内面に所定のボックス数の画成に応じて切断可能な断面形状が略Ｖ字状スリットを周設すると共に上記配線箱の左、右、上及び下壁面部に切離し可能な円盤状閉塞片を有したボックス孔を所望数個配設し、上記各ボックスの単位占積領域内の底面部のそれぞれの上、下にフラット型セパレータ又は略Ｌ型セパレータを固定するビス螺合孔を有する固定脚及びそれぞれの上、下に該配線箱を固定するビス挿入用孔を配設したことを特徴とする。
【０００７】
請求項２記載の発明によれば、内部が所定のボックス数に画成され、略矩形の箱状体に構成された配線箱に於いて、該配線箱の左、右、上及び下壁面部の内面に所定のボックス数の画成に応じて切断可能な断面形状が略Ｖ字状スリットを周設すると共に上記配線箱の左、右、上及び下壁面部に切離し可能な円盤状閉塞片を有したボックス孔を所望数個配設し及び上記配線箱の左、右壁面部と底面部との隣接境界部分に支持材挿入用孔を穿設し、上記各ボックスの単位占積領域内の底面部のそれぞれの上、下に専用支持材を挿入可能とする略矩形状貫通窓を有したフラット型セパレータ又は略Ｌ型セパレータを固定するビス螺合孔を有する固定脚及びそれぞれの中央に専用支持材に固定されるビス挿入用孔を配設し、上記配線箱を固定支持すると共にその本体部を薄板状かつ長尺に形成し、この本体部の中央の長さ方向に位置調整孔を備えかつその他端部を本体部から立設してなる略矩形の板状体の取付固定部を形成した専用支持材を有したことを特徴とする。
【０００８】
請求項３記載の発明によれば、内部が所定のボックス数に画成され、略矩形の箱状体に構成された配線箱に於いて、該配線箱の左、右、上及び下壁面部の内面に所定のボックス数の画成に応じて切断可能な断面形状が略Ｖ字状スリットを周設すると共に上記配線箱の左、右、上及び下壁面部に切離し可能な円盤状閉塞片を有したボックス孔を所望数個配設し及び上記配線箱の左、右壁面部と底面部との隣接境界部分に支持材挿入用孔を穿設し、上記各ボックスの単位占積領域内の底面部のそれぞれの上、下に専用支持材を挿入可能とする略矩形状貫通窓を有したフラット型セパレータ又は略Ｌ型セパレータを固定するビス螺合孔を有する固定脚及びそれぞれの中央に専用支持材に固定されるビス挿入用孔を配設し、上記配線箱を固定支持すると共にその本体部を薄板状かつ長尺に形成し、この本体部の中央の長さ方向に位置調整孔を備えかつその他端部を本体部から立設してなる略矩形の板状体の取付固定部を形成した専用支持材を有し、上記各ボックス孔に嵌合し、かつ配管挿入部及び配線箱の各壁面部に係止する複数の脚部を備えた配管固定部材を具備したことを特徴とする。
【発明の効果】
【０００９】
本発明に係る配線箱の構造は、叙上の構成を有するので次の効果がある。
【００１０】
すなわち、請求項１記載の発明によれば、内部が所定のボックス数に画成され、略矩形の箱状体に構成された配線箱に於いて、該配線箱の左、右、上及び下壁面部の内面に所定のボックス数の画成に応じて切断可能な断面形状が略Ｖ字状スリットを周設すると共に上記配線箱の左、右、上及び下壁面部に切離し可能な円盤状閉塞片を有したボックス孔を所望数個配設し、上記各ボックスの単位占積領域内の底面部のそれぞれの上、下にフラット型セパレータ又は略Ｌ型セパレータを固定するビス螺合孔を有する固定脚及びそれぞれの上、下に該配線箱を固定するビス挿入用孔を配設したことを特徴とする配線箱の構造を提供する。
このような構成としたので、配線箱の前面の開口を専用セパレータとしての上述したフラット型セパレータ若しくは略Ｌ型セパレータでその一部を所望する１ないし３ボックス形態に容易に変更可能とし、覆設することにより、予め固定した多種形式ボックスを有する配線箱を作製する必要がなく、現場での設計仕様に即応した配線箱を提供でき工事工期の短縮化及び施工コストを大幅に低減することができる。また、電工ナイフ等で当該配線箱を画成すべく周設された略Ｖ字状スリットに切込むことにより配線箱を容易に分割可能として各種のボックス数に適応した配線箱を現場にて容易迅速に作製でき、さらなる工事工期の短縮化及び施工コストを大幅に低減することができる等種々の効果がある。
【００１１】
請求項２記載の発明によれば、内部が所定のボックス数に画成され、略矩形の箱状体に構成された配線箱に於いて、該配線箱の左、右、上及び下壁面部の内面に所定のボックス数の画成に応じて切断可能な断面形状が略Ｖ字状スリットを周設すると共に上記配線箱の左、右、上及び下壁面部に切離し可能な円盤状閉塞片を有したボックス孔を所望数個配設し及び上記配線箱の左、右壁面部と底面部との隣接境界部分に支持材挿入用孔を穿設し、上記各ボックスの単位占積領域内の底面部のそれぞれの上、下に専用支持材を挿入可能とする略矩形状貫通窓を有したフラット型セパレータ又は略Ｌ型セパレータを固定するビス螺合孔を有する固定脚及びそれぞれの中央に専用支持材に固定されるビス挿入用孔を配設し、上記配線箱を固定支持すると共にその本体部を薄板状かつ長尺に形成し、この本体部の中央の長さ方向に位置調整孔を備えかつその他端部を本体部から立設してなる略矩形の板状体の取付固定部を形成した専用支持材を有したことを特徴とする配線箱の構造を提供する。
このような構成としたので、請求項１記載の効果に加えて、専用支持材により配線箱の設置位置の微調整が可能となると共に設置不可能な建築物等の部位にも当該配線箱を設置することができる効用がありその利用範囲は大幅に広がる効果がある。
【００１２】
請求項３記載の発明によれば、内部が所定のボックス数に画成され、略矩形の箱状体に構成された配線箱に於いて、該配線箱の左、右、上及び下壁面部の内面に所定のボックス数の画成に応じて切断可能な断面形状が略Ｖ字状スリットを周設すると共に上記配線箱の左、右、上及び下壁面部に切離し可能な円盤状閉塞片を有したボックス孔を所望数個配設し及び上記配線箱の左、右壁面部と底面部との隣接境界部分に支持材挿入用孔を穿設し、上記各ボックスの単位占積領域内の底面部のそれぞれの上、下に専用支持材を挿入可能とする略矩形状貫通窓を有したフラット型セパレータ又は略Ｌ型セパレータを固定するビス螺合孔を有する固定脚及びそれぞれの中央に専用支持材に固定されるビス挿入用孔を配設し、上記配線箱を固定支持すると共にその本体部を薄板状かつ長尺に形成し、この本体部の中央の長さ方向に位置調整孔を備えかつその他端部を本体部から立設してなる略矩形の板状体の取付固定部を形成した専用支持材を有し、上記各ボックス孔に嵌合し、かつ配管挿入部及び配線箱の各壁面部に係止する複数の脚部を備えた配管固定部材を具備したことを特徴とする配線箱の構造を提供する。
このような構成としたので、請求項１及び２記載の効果に加えて、フレキシブル配管等各種の配管を容易かつ迅速に当該配線箱に接続固定することができる効果がある。
【発明を実施するための最良の形態】
【００１３】
以下、本発明に係る配線箱の構造の実施の形態について添付図面に基づき詳細に説明する。
【００１４】
図１ないし図８は、本発明に係る配線箱の構造の実施の形態を示す図面である。これについて説明し、本発明に係る配線箱の構造を明らかにする。
７は、配線箱であって例えばＡＢＳ樹脂等で成形されており、図１は全体の斜視図を示してあり、例えば、略矩形の箱状体で構成されている。該配線箱７は、前面が開口に構成されると共に後面が底面部７ｅを形成し、その左、右壁面部７ａ、７ｂと、上、下壁面部７ｃ、７ｄを備えている。そして、該配線箱７に於ける上記左、右壁面部７ａ、７ｂ及び上、下壁面部７ｃ、７ｄの内面には、断面形状が例えばＶ字状に形成した略Ｖ字状スリット７ｆ、７ｆ…を所望数個、例えば、上壁面部７ｃから底面部７ｅを介して下壁面部７ｄに４個を周設している。尚、該略Ｖ字状スリット７ｆ、７ｆ…はＶ字状又は単なる凹部でもよく電工ナイフ１４が切削可能な構成とする。
【００１５】
上記配線箱７の左、右壁面部７ａ、７ｂ及び上、下壁面部７ｃ、７ｄには所望数個、例えば、上記左、右壁面部７ａ、７ｂには３個及び上記上、下壁面部７ｃ、７ｄにはそれぞれ８個のボックス孔８…を横方向に一列に列設して形成している。
このボックス孔８はその径長が例えば１６（ｍｍ）から２２（ｍｍ）程度の長さを有する各種径長の組合せで構成されており、該ボックス孔８の略中央部分には略円盤状閉塞片８ａを備え、この略円盤状閉塞片８ａはその両端部又は少なくとも一端部は略棒状の連結細片７ｇ、７ｇ…を介して上記左、右壁面部７ａ、７ｂ及び上、下壁面部７ｃ、７ｄに連結状態になっている。
そして、上記略円盤状閉塞片８ａの中央の水平方向又は垂直方向には単一の切欠き穴８ｂを形成している。また、上記ボックス孔８のそれぞれの内周面部は周溝８ｃが円弧状に形成してあり、作業者がマイナスドライバーの先端を上記単一の切欠き穴８ｂに差込み後、該マイナスドライバーを回転させることにより、上記略円盤状閉塞片８ａを上記左、右壁面部７ａ、７ｂ及び上、下壁面部７ｃ、７ｄから切り離すことができるように構成されている。
【００１６】
そして、上記円盤状閉塞片８ａは配線箱７から切り離されると上記ボックス孔８は貫通孔を形成することとなり、図９に示すようにフレキシブル配管９や電線１０等を該ボックス孔８…に挿入可能となる。
【００１７】
１１はフラット型セパレータであり、上記フレキシブル配管９やケーブル又は電線１０等をボックス孔８に挿入して配線箱７に図９に示すように収納した後に、該配線箱７の前面に覆設される。具体的には、上記フラット型セパレータ１１は図１に示すように例えば、上、下端部に皿ビス挿入用孔１１ａ、１１ｂを貫通して形成すると共に背面に切欠き窓１１ｃを形成している。そして、上記配線箱７にフレキシブル配管９や電線１０を収納した後に該皿ビス挿入用孔１１ａ、１１ｂに適合する位置であって、上記配線箱７の底面部７ｅの内面の上、下部位及び該配線箱７の水平方向に一列に突出形成した固定脚１２…に固定される。すなわち、上記固定脚１２…は前面部にビス螺合孔１２ａ…を形成してあり、このビス螺合孔１２ａ、１２ａ…を皿ビス挿入用孔１１ａ、１１ｂに適合させてた後、皿ビス１３、１３のそれぞれは作業者によりドライバーによりねじ込まれ、該フラット型セパレータ１１は配線箱７の前面に覆設する。
また、配線箱７に於いて所望のボックス数を予め決定すべく上記フラット型セパレータ１１の皿ビス挿入用孔１１ａ、１１ｂに皿ビスをねじ込み、該フラット型セパレータ１１を固定脚１２に覆設固定する。つまり、配線箱７の一部のボックスを盲として残部のボックスで配線箱７を利用する。
【００１８】
また、配線箱７は図８に示すように電工ナイフ１４によりその一部を切離されると、該配線箱７の左又は右壁面部７ａ又は７ｂが取り払わることとなり、この部位に図１に示す略Ｌ型セパレータ１５を嵌合して閉塞する。この略Ｌ型セパレータ１５は、立設面部１５ａと底面部１５ｂで構成され、立設面部１５ｂからＬ型に折曲した底面部１５ｂを構成し、全体として略Ｌ型形状を形成している。上記底面部１５ｂ、１５ｂは、例えば、２つの部材、すなわち、上、下に形成され、その上下間の部位には高さがやや低い略矩形状貫通窓１５ｃを形成しており、全体から見れば上記２つの底面部１５ｂ、１５ｂが恰も当該略矩形状貫通窓１５ｃの上、下に隣接した２つの足を形成した状態となっている。
【００１９】
上記略Ｌ型セパレータ１５は、２つの底面部１５ｂ、１５ｂにそれぞれ皿ビス挿入用孔１５ｄ、１５ｄを穿設しており、該略Ｌ型セパレータ１５を上記電線箱７の左又は右壁面部位に固定するときは、該皿ビス挿入用孔１５ｄ、１５ｄを上記配線箱７の底面部７ｅに形成し、上、下に一列に配設した皿ビス挿入用孔７ｈ、７ｈ…に適合させて皿ビス（図示せず）をねじ込むことにより該略Ｌ型セパレータ１５を構造物や建築物Ｋの本体に該配線箱７の底面部７ｅと共に固定する。
尚、該略Ｌ型セパレータ１５は上記固定脚１２、１２…にその立設面部１５ａを適宜位置に覆設固定し、配線箱７の使用するボックス数を設定することもできる。
【００２０】
尚、図中、７ｉは上記配線箱７の各壁面部７ａ、７ｂ、７ｃ及び７ｄに形成した肉抜き孔又は通気孔である。７ｊは、上述した底面部７ｅの上、下に形成したビス穴７ｈ、７ｈ…の中間位置すなわち、正確に言えば図２に示すように中央位置の水平方向に形成したビス穴であって、皿ビス等をねじ込むことにより配線箱７を構造物や建築物Ｋに固定する。そして、上記配線箱７の後面には建築物Ｋ又は構造物の壁面を介して、上記電線１０やフレキシブル配管９に接続されるスイッチやコンセント等の配線器具（図示せず）が配置されている。
【００２１】
当該本発明に係る配線箱７の内部構造は図２に示す平面図から明らかである。そして、図２は単一の配線箱７で構成されてあって、１つないし４つのボックスに設定されかつ４つに分離可能に設計されたことを特徴とする配線箱７の構造である。そして、各ボックスの占積領域Ｅ１ないしＥ４を形成し、各占積領域Ｅ１ないしＥ４の境界線に上記略Ｖ字状スリット７ｆを形成してそれらを画成している。上記各ボックスの占積領域Ｅ１ないしＥ４には、それぞれ上記上、下位置に固定脚１２、中央に単一のビス穴７ｇ、更に各ボックスの占積領域Ｅ１ないしＥ４の左側及び／又は右側にビス穴７ｈを２個ないし４個形成している。そして、フレキシブル配管９や電線１０又はケーブルの配線数に応じて設計仕様を行ない図７に示す電工ナイフ１４で当該各ボックスの一つを電線箱７から切削し図６に示すように分離した場合、上記略L型セパレータ１５を残余のボックスで構成される配線箱７の左側又は右側に固定し、図６に示すように左壁面部又は右壁面部を閉塞する。また、上記ビス穴７ｈ…、７ｇ…に皿ビス（図示せず）を挿入しかつ加締めることにより、上記配線箱７を建築物Ｋ又は構造物に固定する。
【００２２】
次に、上述した本発明に係る配線箱の取付手順等について説明する。
建築物Ｋ又は構造物内に引き廻されるケーブル、電線１０やフレキシブル配管９等の設計仕様に応じてその配線数や径長が設定され、当該配線箱７のボックス数が決定される。そして、例えば、ボックス数が３個必要とする場合には、上述した図１及び図２に示す構造ではボックス数が１個多いので図６に示すように例えば最左側のボックスを削除する。而して、図７に示すように電工ナイフ１４を使用し略Ｖ字状スリット７ｆに切込み動作させて、最左側のボックス部分を当該配線箱７の本体から分離する。また、作業者はマイナスドライバーを使用して、その先端部を配線箱７の各壁面部７ｂ、７ｃ、７ｄに配設したボックス孔８の略円盤状閉塞片８ａの切欠き穴８ｂに差込んで強制回転させることにより、連結個片８ｇを配線箱７から切断し、該略円盤状閉塞片８を配線箱７から離脱させる。そこで、略Ｌ字型セパレータ１５のＬ型に折曲した上、下の底面部１５ｂ、１５ｂを該配線箱７の底面部７ｅに皿ビス等でねじ締め固定する。この状態は図６に示している。
【００２３】
そして、当該配線箱７は底面部７ｅの中央に穿設したビス穴７ｊにビス又は皿ビスをねじ込むことにより、当該配線箱７は構造物又は建築物Ｋに固定される。また、例えば上記電線１０、フレキシブル配管９は引廻された後に、所定の適合するボックス孔８から挿入されて上記配線箱７内に図９に示すように収納される。そして、配線箱７の前面開口部分に必要に応じてフラット型セパレータ１１及び上記略Ｌ字型セパレータ１５を横置きに配置すると共に皿ビス又はビス等で皿ビス挿入用孔１５ｅ、１５ｅを固定脚１２のビス螺合孔１２ａにねじ込み、上記配線箱７の底面部に立設した固定脚１２にねじ止め固定する。
尚、上述した皿ビス挿入用孔７ｈ、７ｊ、１１ａ、１１ｂ、１５ｄは単なるビス孔でもよく、また皿ビスは単なるビスでもよい。
【実施例１】
【００２４】
次に、本発明に係る配線箱の構造に於いて、該配線箱７を建築物Ｋ又は構造物に取付ける場合の実施例１について説明する。
図９（ａ）、（ｂ）に示す１６は全体が薄板状かつ長尺状に形成された専用支持材であって、略中央に長さ方向に沿って上、下幅の狭小な長大な形状でなる位置調整孔１６ａを穿設している。該専用支持材１６に於ける長さ方向の上、下沿部１６ｂ、１６ｂはスケール目盛を刻設し又はマーキングしている。また、該専用支持材１６の左端又は右端、すなわち本例の場合は、左端に取付固定部１６ｃを図９（ｂ）に示すように本体の面上から垂直方向に立設形成している。該取付固定部１６ｃは略矩形の板状で形成されており、その左、右部にビス挿入孔１６ｄ、１６ｄを配設している。
【００２５】
一方、上記配線箱７の底面部７ｅの内側には図１及び図２に示すように、ガイド突起７ｋ…がその上列及びその下列に一連に左右の所定間隔を有して突設されている。該ガイド突起７ｋは図２に示す各ボックスの上列及び下列の左、右に各２個毎突設しており、その上、下間は支持材挿入用孔７ｅの幅Ｍと略同一長さを有する所定間隔Ｊを確保している。また、上記配線箱７の左壁面部７ａ及び右壁面部７ｂと底面部７ｅとの隣接境界部分の略中央には上記専用支持材１６の本体部、すなわち薄板状の長尺部が挿入可能な支持材挿入用孔７ｌ、７ｌを穿設している。而して、当該支持材挿入用孔７ｌは例えば略矩形状の孔であって、その幅長Ｍ及び高さＨ０が上記専用支持材１６の厚さ及び幅長Ｌより若干幅広に形成してある。
【００２６】
そして、上記配線箱７を建築物Ｋ又は構造物に取付けるときは、該専用支持材１６の本体部の先端を上記配線箱７の左壁面部７ａに形成した支持材挿入用孔７ｌから挿入すると共に該配線箱７に略Ｌ型セパレータ１５や図８に示すようにフラット型セパレータ１１が介在するときは該略Ｌ型セパレータ１５やフラット型セパレータ１１の切欠き窓１５ｃ、１１ｃを挿通する。尚、上記上列のガイド突起７ｋと下列のガイド突起７ｋが専用支持材１６の上下移動ぶれを規制制御する。そして、該専用支持材１６がガイド機能を有し、スケール目盛１６ｂ、１６ｂにより柱１７からの距離を直ちに目測でき所望の位置に該配線箱７を左右に微調整可能に移動させて位置決めを行なう。この際、該専用支持材１６の取付固定部１６ｃは図８に示すように建築物Ｋ又は構造物の柱１７の一部にビス１６ｅ等によりビス挿入孔１６ｄ、１６ｄにねじ込み固定されている。
【００２７】
上記配線箱７の位置決めが設定できればビス又は皿ビス１６ｆ等を該専用支持材１６の位置調整孔１６ａを介して底面部７ｅに設けた適合する位置に於けるビス穴7ｊにねじ止めする。これにより、該配線箱７は上記専用支持材１６に取付け固定される。この実施例１によれば、配線箱７を建築物Ｋや構造物の適宜な位置に選定して固定できるうえに、該建築物Ｋ又は構造物に於ける取付不可能な部位にも該専用支持材１６により、また、該専用支持材１６の長さを適宜長に設定することにより、取付けることができ、その利用範囲を広くできる。
尚、他の上記配線箱７の取付け手順や方法等の説明は前述したのでその説明を省略する。
【実施例２】
【００２８】
次に、本発明に係る配線箱の構造に於いて、フレキシブル配管等配管を該配線箱７に挿着固定するための配管固定部材１８を該配線箱７に取付ける場合の実施例２について説明する。
図１０（ａ）、（ｂ）に示す１８は当該配管固定部材を示すものであって、（ａ）は側面図、（ｂ）は矢視Ｉ−Ｉ線方向からから見た平面図である。
該配管固定部材１８は、略中央部が配管を挿入するための真円形孔１８ａを構成した基板１８ｂと、該基板１８ｂから一体成形され、例えば相互間が９０°の位置に設定した４つの係止部１８ｃ、１８ｃ、１８ｃ、１８ｃとで構成されている。該配管固定部材１８は図１０（ｂ）に示すように上面及び下面には開口部が形成され、この開口部が上記真円形孔１８ａと連なっている。そして、図８に示すようなフレキシブル配管９を挿入固定する。
【００２９】
上記配管固定部材１８は４つの係止部１８ｃ、１８ｃ、１８ｃ、１８ｃの上、下端にそれぞれ鉤又は爪１８ｄ、１８ｄを形成している。そして、該配管固定部材１８を配線箱７に固定するときは、先づ、該配線箱７の左、右、上及び下壁面部７ａ、７ｂ、７ｃ及び７ｄに形成したいずれかのボックス孔８の略円盤状閉塞片８ａをマイナスドライバー等により取外した後に、貫通孔となった所定のボックス孔８内へ上記４つの係止部１８ｃ、１８ｃ、１８ｃ、１８ｃを圧入する。該係止部１８ｃ、１８ｃ、１８ｃ、１８ｃのそれぞれの鉤又は爪１８ｄ、１８ｄが外方へ移動し、いわゆるワンタッチ手段で当該配管固定部材１８を配線箱７に取付ける。そして、上記フレキシブル配管９を引き廻して、該配管固定部材１８のそれぞれの鉤又は爪１８ｄ、１８ｄにより図８に示すように固定する。尚、上記係止部１８ｃ、１８ｃ、１８ｃ、１８ｃは必ずしも４つに限定するものではなく複数個であっても差支えない。
尚、他の上記配線箱７の取付け手順や方法等の説明は前述したのでその説明を省略する。
【００３０】
また、上述したフラット型セパレータ１１、略Ｌ型セパレータ１５、専用支持材１６及び配管固定部材１８は上記配線箱７と同一の材質、例えばＡＢＳ樹脂材料やその他の材料で成形する。そして、上記各部材１１、１５、１６及び１８を一連の成形加工行程で流れ作業の中で一緒に仕上げると共に上記各部材１１、１５、１６及び１８の相互間を切り離し容易に可能として配線箱７を含めて一体的な成形品として作成する。そして、この一体成形品をセットとして商品・流通ルートに提供できる。
【図面の簡単な説明】
【００３１】
【図１】本発明に係る配線箱の構造に係る実施の形態の好適な例を示す斜視図である。
【図２】図１に示す配線箱の平面図である。
【図３】本発明に係る配線箱の構造に係る実施の形態の好適な例を示すものであって、（ａ）は図２の矢視Ｃ−Ｃ線方向の断面図、（ｂ）は図２の矢視Ｄ−Ｄ線方向の側面図である。
【図４】本発明に係る配線箱の構造に係る実施の形態の好適な例を示すものであって、専用セパレータとしての略Ｌ型セパレータであり、（ａ）は（ｂ）の矢視Ｆ−Ｆ線方向の側面図、（ｂ）は（ａ）の平面図である。
【図５】本発明に係る配線箱の構造に係る実施の形態の好適な例を示すものであって、専用セパレータとしてのフラット型セパレータであり、（ａ）は（ｂ）の矢視Ｇ−Ｇ線方向の側面図、（ｂ）は（ａ）の平面図である。
【図６】本発明に係る配線箱の構造に係る実施の形態の好適な例を示すものであって、当該配線箱の一部を分離した状態を示す斜視図である。
【図７】本発明に係る配線箱の構造に係る実施の形態の好適な例を示すものであって、電工ナイフで配線箱内に形成したＶ字状スリットに切込みを入れた状態を示す斜視図である。
【図８】本発明に係る配線箱の構造に係る実施の形態の好適な例を示すものであって、建築物又は構造物に専用支持材で配線箱を固定した状態を示す斜視図である。
【図９】本発明に係る配線箱を建築物又は構造物に取付けるための実施例１を示すものであって、専用支持材の一例を示し、（ａ）は平面図、（ｂ）は（ａ）の矢視Ｈ−Ｈ線方向の側面図である。
【図１０】本発明に係る配線箱を建築物又は構造物に取付けるための実施例２を示すものであって、配管固定部材の一例を示し、（ａ）は側面図、（ｂ）は（ａ）の矢視Ｉ−Ｉ線方向の側面図である。
【図１１】ワンボックスタイプの従来の配線箱の一つの例を示すもので、（ａ）は平面図、（ｂ）は（ａ）の矢視Ａ−Ａ線方向から見た側面図である。
【図１２】ツーボックスタイプの従来の配線箱の他の例を示すもので、（ａ）は平面図、（ｂ）は（ａ）の矢視Ｂ−Ｂ線方向から見た側面図である。
【符号の説明】
【００３２】
７      配線箱
７ａ    配線箱の左壁面部
７ｂ    配線箱の右壁面部
７ｃ    配線箱の上壁面部
７ｄ    配線箱の下壁面部
７ｅ    配線箱の底面部
７ｆ    配線箱の略Ｖ字状スリット
７ｇ    配線箱の連結細片
７ｈ    配線箱の皿ビス挿入用孔
７ｉ    配線箱の皿ビス挿入用孔の肉抜き孔（通気孔）
７ｊ    配線箱のビス穴
７ｋ    配線箱のガイド突起
７ｌ    配線箱の支持材挿入用孔
８      ボックス孔
８ａ    ボックス孔の略円盤状閉塞片
８ｂ    ボックス孔の切欠き穴
８ｃ    ボックス孔の周溝
９      フレキシブル配管
１０    電線（ケーブル）
１１    フラット型セパレータ
１１ａ  フラット型セパレータの皿ビス挿入用孔
１１ｂ  フラット型セパレータの皿ビス挿入用孔
１１ｃ  フラット型セパレータの切欠き窓
１２    固定脚
１２ａ  固定脚のビス螺合孔
１３    皿ビス
１４    電工ナイフ
１５    略Ｌ型セパレータ
１５ａ  略Ｌ型セパレータの立設面部
１５ｂ  略Ｌ型セパレータの底面部
１５ｃ  略Ｌ型セパレータの略矩形状貫通窓
１５ｄ  略Ｌ型セパレータの皿ビス挿入用孔
１５ｅ  略Ｌ型セパレータの皿ビス挿入用孔
１６    専用支持材
１６ａ  専用支持材の位置調整孔
１６ｂ  専用支持材の沿部
１６ｃ  専用支持材の取付固定部
１６ｄ  専用支持材のビス挿入孔
１６ｅ  専用支持材の皿ビス（ビス）
１６ｆ  専用支持材の皿ビス（ビス）
１７    建築物の柱
１８    配管固定部材
１８ａ  配管固定部材の真円形孔
１８ｂ  配管固定部材の基板
１８ｃ  配管固定部材の係止部
１８ｄ  配管固定部材の爪（鉤）
Ｋ      建築物（構造物）
【図１】
2006136137.tif 000003
【図２】
2006136137.tif 000004
【図３】
2006136137.tif 000005
【図４】
2006136137.tif 000006
【図５】
2006136137.tif 000007
【図６】
2006136137.tif 000008
【図７】
2006136137.tif 000009
【図８】
2006136137.tif 000010
【図９】
2006136137.tif 000011
【図１０】
2006136137.tif 000012
【図１１】
2006136137.tif 000013
【図１２】
2006136137.tif 000014